(57)【要約】【課題】簡単な操作により開封することができるとともに、収納液の目的に応じて液をライン状に塗布することができ、しかも、簡易容器の必須要件である安価に製造することができる簡易塗布容器を提案する。【解決手段】上下端部をシールした筒状の容器体２と、該容器体の口部５内に嵌着固定するとともに、容器体胴部４内と連通する塗布部１１を先端部に装着した塗布栓３とを備えている。そして、口部５の所定位置に設けた環状薄肉部１０を破断して上方の口部部分５ａを除去することにより塗布部１１が露出する如く構成した。【選択図】図１
2004256148.tif 000002
【特許請求の範囲】
【請求項１】
下端部をシールした筒状胴部４上方に上端部をシールした筒状口部５を延設するとともに、上記口部５に破断可能な環状薄肉部９を形成してなる合成樹脂製の容器体２と、上記口部５内に嵌着固定するとともに、上記胴部内と連通する塗布部１１を先端部に装着した塗布栓３とを備え、上記環状薄肉部９を破断してその上方の口部部分５ａを除去することにより上記塗布部が露出する如く構成したことを特徴とする簡易塗布容器。
【請求項２】
上記塗布栓３が、上記口部５に嵌着固定した嵌合筒１２の上端縁より内方へフランジ１３を延設するとともに、フランジ１３内周縁より上方に注出筒１４を立設した筒部材１５と、上記注出筒１４外周に嵌合させた筒状部１６の上端に上記注出筒上端開口を被覆する頂塊部１７を延設した上記塗布部１１と、上記筒状部１６外周に嵌合して注出筒１４との間に筒状部１６を挟持固定する固定筒１８とから構成してなる請求項１記載の簡易塗布容器。
【請求項３】
上記環状薄肉部９の破断後に、環状薄肉部９上方の口部部分５ａと環状薄肉部９下方の口部部分５ｂとの着脱自在な嵌合が可能に構成してなる請求項１記載の簡易塗布容器。
【請求項４】
上記塗布栓３に、上記胴部４内より上記塗布部１１へ一方的な液の流動が可能な逆止弁２３を設けてなる請求項１記載の簡易塗布容器。
【発明の詳細な説明】
【０００１】
【発明の属する技術分野】
本発明は簡易塗布容器に関し、詳しくは、マスカラ，アイライナー，マニキュア，口紅，ファンデーション等の液状化粧品を収納して塗布することのできる簡易塗布容器に関する。
【０００２】
【従来の技術】
マスカラやアイライナー等の化粧料を収納し、塗布するための容器が提案されている（例えば、特許文献１参照）。
【０００３】
上記容器は、有底筒状の容器本体と、その上端部に嵌着され内部に扱き栓を具備した口筒と、該口筒に螺着され先端に塗布具が取り付けられた塗布棒が扱き栓を貫通して垂設された有頭筒状の螺子蓋とを有し、上記口部の下端部には弾性と可撓性を有する長方形の二枚のフィルムがあわされて底部と両側部とが溶着された自己復元性を有するシート状の袋体が液密に取り付けられて構成され、袋体内の化粧料は減少するに従い袋体の中心軸線に位置する塗布具に寄り集まるようにしている。
【０００４】
また、マニキュアを収納し、塗布するための容器も提案されている（例えば、特許文献２参照）。この容器は、容器口部に着脱自在に螺合するネジ蓋に、該ネジ蓋を貫通して上方に長く突出する把持軸を設け、そして上記ネジ蓋の下方に垂下する筆の軸を把持軸に連結したものである。
【０００５】
【特許文献１】
特開平０９−１０３３２２号公報（第２−３頁，図１）
【特許文献２】
特開平１０−１７９２４２号公報（第２頁，図１）
【０００６】
【発明が解決しようとする課題】
上記した如く、この種の液状化粧料の容器は何度も使用することを目的として形成されているのが一般的であり、そのため、構造も比較的複雑であり、しかも一端開封した後の塗布具を再度装着した際の密閉性、或いは容器の載置安定性等に考慮が払われている。
【０００７】
本発明は、開封前は充分な密閉性を維持しての持ち運びに便利であり、また、簡単な操作により開封することができるとともに、開封後目的に応じて収納液を塗布することができ、しかも、簡易容器として必須である簡単な構造と低コストでの製造が可能な簡易塗布容器を提案するものである。また、少回数の分割使用のために再び蓋を装着して保管しておくことも可能な簡易塗布容器を提案するものである。
【０００８】
【課題を解決するための手段】
本請求項１発明の簡易塗布容器は、上記課題を解決するため、下端部をシールした筒状胴部４上方に上端部をシールした筒状口部５を延設するとともに、上記口部５に破断可能な環状薄肉部９を形成してなる合成樹脂製の容器体２と、上記口部５内に嵌着固定するとともに、上記胴部内と連通する塗布部１１を先端部に装着した塗布栓３とを備え、上記環状薄肉部９を破断してその上方の口部部分５ａを除去することにより上記塗布部が露出する如く構成したことを特徴とする簡易塗布容器として構成した。
【０００９】
また、請求項２発明の簡易塗布容器は、上記塗布栓３が、上記口部５に嵌着固定した嵌合筒１２の上端縁より内方へフランジ１３を延設するとともに、フランジ１３内周縁より上方に注出筒１４を立設した筒部材１５と、上記注出筒１４外周に嵌合させた筒状部１６の上端に上記注出筒上端開口を被覆する頂塊部１７を延設した上記塗布部１１と、上記筒状部１６外周に嵌合して注出筒１４との間に筒状部１６を挟持固定する固定筒１８とから構成してなる請求項１記載の簡易塗布容器として構成した。
【００１０】
また、請求項３発明の簡易塗布容器は、上記環状薄肉部９の破断後に、環状薄肉部９上方の口部部分５ａと環状薄肉部９下方の口部部分５ｂとの着脱自在な嵌合が可能に構成してなる請求項１記載の簡易塗布容器として構成した。
【００１１】
また、請求項４発明の簡易塗布容器は、上記塗布栓３に、上記胴部４内より上記塗布部１１へ一方的な液の流動が可能な逆止弁２３を設けてなる請求項１記載の簡易塗布容器として構成した。
【００１２】
【発明の実施の形態】
以下、本発明の実施例の形態を図面を参照して説明する。
【００１３】
図面に示す如く本発明簡易塗布容器１は、容器体２と、塗布栓３とを備えている。
【００１４】
容器体２は合成樹脂により形成されたもので、下端をシールした筒状胴部４の上方へ、上端をシールした筒状の口部５を延設して構成している。胴部４と口部５とは同径であっても図示例の如く口部５を小径に構成しても良い。また、胴部４の形態は筒状であれば、図示例の如く楕円筒状であっても、円筒状であっても、或いは他の筒状であっても良く、口部５も同様である。
【００１５】
図示例に於いて容器体２は、楕円筒状の胴部４を有し、胴部４の下端を偏平状に融着シールして下部シール部６を形成している。また、胴部４の上方に肩部７を介して円筒状の口部５を延設している。口部５の上端部は同様に偏平状に融着シールして上部シール部８を形成している。各シール部の形態は、図示例の如く、筒壁を偏平状に変形させて対向面を融着することにより容易にシールすることができるが、これに限られず、筒壁端部を折り畳んだ状態で融着シールすることも可能である。
【００１６】
また、上記口部５には破断可能な環状薄肉部９を形成している。この環状薄肉部９を破断してその上方の口部部分５ａを除去することにより後述する塗布部が露出する如く構成している。
【００１７】
容器体２は、その液充填前には図２及び図３に示す如く、上下端を開口した筒状の形態で射出成形等の適宜成形方法により形成される。図２及び３に於いて、容器体２は下端を開口した楕円筒状の胴部４上端縁より肩部７を介して上端を開口した円筒状の口部５を上方へ延設しており、口部５の上下方向中間部所定位置に環状薄肉部９を形成している。また、この環状薄肉部９の下方の口部５内周には、栓部材の抜け出しを防止するための係合手段を構成する係止突条１０を間隔をあけて突設している。
【００１８】
塗布栓３は、上記口部５内に嵌着固定するとともに、上記胴部４内と連通する塗布部１１を先端部に装着している。塗布部１１は、例えば連続起泡の合成樹脂発泡体等で構成された多孔性のものが使用でき、その場合比較的柔軟性に富んだものを選択すると良い。但し、塗布部はこれに限られず、筆、刷毛等の形態のその他の塗布部を採用することもできる。
【００１９】
図示例では、図４に示す如く、上記口部５内に嵌合させる円筒状の嵌合筒１２の上端より内方へフランジ１３を延設するとともに、該フランジ１３内周縁より上方へ注出筒１４を立設した筒部材１５と、上記注出筒１４外周に嵌合させた筒状部１６の上端に、上記注出筒上端開口を被覆する頂塊部１７を延設した上記塗布部１１と、上記筒状部１６外周に嵌合して注出筒１４との間に筒状部１６を挟持固定する固定筒１８とを備えている。固定筒１８はその内周下部に周設した係合凹部１９に上記注出筒１４外周下部に突周設した係合突部２０を嵌合させて抜け出しの防止を図っている。また、嵌合筒１２の外周所定位置には、容器体２との上記した係合手段を構成する係合突条２１を一対突周設している。そして、各係合突条２１を容器体２の各係止突条１０下面に係合させて嵌合筒１２を口部５内に嵌着固定する。尚、上記した如き塗布部に代えて、多孔性板状の合成樹脂発泡体を注出口上端開口を中心に被せ、上方より発泡体周縁部を注出筒周囲に折り曲げつつ固定筒を嵌合した塗布部とすることも可能である。
【００２０】
上記の如き簡易塗布容器１へ液を充填する場合の一例として、まず、図５（ａ）  に示す如く、容器体２に塗布栓３を嵌着固定させる。次に、図５（ｂ）に示す如く、口部５の上端部を融着シールして上部シール部８を形成する。次いで、図５（ｃ）  に示す如く、胴部４下端から液を注入後、胴部４下端部を融着シールして下部シール部６を形成し充填を完了する。
【００２１】
使用する際には、環状薄肉部９上方の口部部分５ａを折り曲げる等して環状薄肉部９を破断し、その上方の口部部分５ａを取り除く。そして、胴部４を圧搾する等して収納液を注出筒１４より注出しつつ塗布部１１の頂塊部１７により適当に引き延ばしながら塗布する如く構成している。
【００２２】
また、収納液を何回かに分けて使用するのに便利なように、環状薄肉部９の破断後に、環状薄肉部９上方の口部部分５ａと環状薄肉部９下方の口部部分５ｂとの着脱自在な嵌合が可能に構成しても良い。
【００２３】
図７及び図８に示す実施例では、図１の実施例に於いて、上記環状薄肉部９を上端として、その下方の口部５外周に、上方より下方へ順次大径となるテーパ部２２を設けている。このテーパ部２２を設けることにより、図８に示す如く、開封後再び環状薄肉部上方の口部部分５ａを容易に装着することができる如く構成している。その他の構成は図１の実施例と同様であるため説明を省略する。尚、上方の口部部分５ａと下方の口部部分５ｂとの着脱自在な嵌合が可能な構成として、上記構成に代えて、環状薄肉部９下方の口部外周に突条を周設し、一方、環状薄肉部９上方の口分部分内周に凹溝を周設しても良い。
【００２４】
図９は更に他の実施例を示すもので、上記塗布栓３に、上記胴部４内より上記塗布部１１へ一方的な液の流動が可能な逆止弁２３を設けている。本実施例では、図１の実施例に於いて、嵌合筒１２内に小径の弁孔２４を形成するとともに、該弁孔２４上端開口を閉塞する弁板２５を弾性的に閉方向へ付勢させて支持した逆止弁２３を設けている。更にいえば、図１０に示す如く、中央部に弁孔２４を開口するとともに、弁孔２４周縁部の上面より環状突条２６を突設した板状の弁孔形成部材２７を、その周縁部を嵌合筒１２内に嵌合させて装着し、また、図１１に示す如き、筒部２８の内周より突設した周方向複数の弾性片２９を介して中央に弁板２５を支持した弁板形成部材３０を、その筒部２８を嵌合筒１２内に嵌合させて装着し、逆止弁２３を形成している。その多の構成は図１の実施例と同様であるため説明を省略する。
【００２５】
尚、この様な逆止弁２３を設けなくても、塗布部１１の存在で不都合な液漏れは生じないが、この様な逆止弁２３を設けることにより、確実に液の漏出を防止できるものである。また、この逆止弁２３は、上記図７の実施例についても採用できるものである。
【００２６】
【発明の効果】
以上説明した如く、本発明の簡易塗布容器は、既述構成としたことにより、開封前は充分な密閉性が得られ、その持ち運びにも便利である。また、開封操作も簡単に行えるとともに、開封後目的に応じて収納液を塗布することができ、しかも、構造が簡単で安価に製造できる利点を備えている。
【００２７】
また、請求項２発明の簡易塗布容器は、固定筒の存在で塗布部を筒部材に確実に固定し、また、嵌合筒の存在で筒部材が安定して容器体に固定され、その結果、使用中に塗布部が外れる等の不都合を生じる虞がなく、極めて使い勝手の良いものとなる。
【００２８】
また、請求項３発明の簡易塗布容器は、取り外した上方の口部部分を再び簡単に装着することができ、収納液の少数回の分割使用に便利である。
【００２９】
また、請求項４発明の簡易塗布容器は、塗布部からの液の漏出を確実に防止でき、収納液を分割使用する際には特に有効である。
【図面の簡単な説明】
【図１】本発明簡易塗布容器の一実施例を示す半断面図である。
【図２】同実施例のシール前の容器体の半断面図である。
【図３】同実施例のシール前の容器体の平面図である。
【図４】同実施例の塗布栓を示す拡大半断面図である。
【図５】同実施例の液充填を説明する説明図である。
【図６】同実施例の使用時を説明する説明図である。
【図７】本発明の他の実施例を示す要部半断面図である。
【図８】同実施例の破断除去した口部を再嵌合した際の要部半断面図である。
【図９】本発明の更に他の実施例を示す要部半断面図である。
【図１０】同実施例の弁孔形成部材を示す平面図である。
【図１１】同実施例の弁板形成部材を示す平面図である。
【符号の説明】
２…容器体，３…塗布栓，４…胴部，５…口部，５ａ…上部の口部部分，
９…環状薄肉部，１１…塗布部，１２…嵌合筒，１３…フランジ，
１４…注出筒，１５…筒部材，１６…筒状部，１７…頂塊部，１８…固定部，
２２…テーパ部，２３…逆止弁，
【図１】
2004256148.tif 000003
【図２】
2004256148.tif 000004
【図３】
2004256148.tif 000005
【図４】
2004256148.tif 000006
【図５】
2004256148.tif 000007
【図６】
2004256148.tif 000008
【図７】
2004256148.tif 000009
【図８】
2004256148.tif 000010
【図９】
2004256148.tif 000011
【図１０】
2004256148.tif 000012
【図１１】
2004256148.tif 000013